(57)【要約】【課題】  柱梁接合部における現場打ちコンクリートの充填性が良く、密実コンクリートの品質が確保されるプレキャストコンクリート柱と梁の接合構造を提供することである。【解決手段】  プレキャストコンクリート柱３の頭部にプレキャストコンクリート梁５の端部が載置され、該柱梁接合部６に現場打ちコンクリート７が打設されたプレキャストコンクリート柱と梁の接合構造１において、前記プレキャストコンクリート梁５は緊張材８でプレストレスが付与されてプレキャストコンクリート柱３に接合され、プレキャストコンクリート梁５の端部下端筋９が折り曲げられずに柱梁接合部６に水平に配筋されたことである。【選択図】図１
2005330657.tif 000002
【特許請求の範囲】
【請求項１】
プレキャストコンクリート柱の頭部にプレキャストコンクリート梁の端部が載置され、該柱梁接合部に現場打ちコンクリートが打設されたプレキャストコンクリート柱と梁の接合構造において、前記プレキャストコンクリート梁は緊張材でプレストレスが付与されてプレキャストコンクリート柱に接合され、プレキャストコンクリート梁の端部下端筋が折り曲げられずに柱梁接合部に水平配筋されたことを特徴とするプレキャストコンクリート柱と梁の接合構造。
【請求項２】
プレキャストコンクリート柱が立設された基礎と、杭との間に免震装置を設けたことを特徴とする請求項１に記載のプレキャストコンクリート柱と梁の接合構造。
【発明の詳細な説明】
【技術分野】
【０００１】
本発明はプレキャストコンクリート柱と梁の接合構造に関するものである。
【背景技術】
【０００２】
従来のプレキャストコンクリート柱と梁の接合構造１５は、図３に示すように、プレキャストコンクリート柱１６の頭部にプレキャストコンクリート梁１７の端部を載置し、この柱梁接合部（パネルゾーン）１８内に現場打ちコンクリート１９が打設されて構成されていた。この接合構造１５においてプレキャストコンクリート梁１７の端部下端筋２０および上端筋２１は、鉄筋径（ｄ）の３５ｄの定着長さが必要であったため、柱梁接合部１８において９０度の折曲配筋をしていた。また、その他のプレキャストコンクリート柱と梁の接合構造としては、例えば特開２００１−２０７５２８号公報の発明がある。
【特許文献１】特開２００１−２０７５２８号公報
【発明の開示】
【発明が解決しようとする課題】
【０００３】
しかし、上記のように柱梁接合部においてプレキャストコンクリート梁の端部下端筋および上端筋を折り曲げ配筋すると、柱梁接合部における配筋が混雑するため、現場打ちコンクリートの充填性が悪くなって密実コンクリートの品質が確保されないという問題があった。
【０００４】
本発明は上記のような問題に鑑みてなされたものであり、その目的は、柱梁接合部における現場打ちコンクリートの充填性が良く、密実コンクリートの品質が確保されるプレキャストコンクリート柱と梁の接合構造を提供することである。
【課題を解決するための手段】
【０００５】
本発明のプレキャストコンクリート柱と梁の接合構造は、プレキャストコンクリート柱の頭部にプレキャストコンクリート梁の端部が載置され、該柱梁接合部に現場打ちコンクリートが打設されたプレキャストコンクリート柱と梁の接合構造において、前記プレキャストコンクリート梁は緊張材でプレストレスが付与されてプレキャストコンクリート柱に接合され、プレキャストコンクリート梁の端部下端筋が折り曲げられずに柱梁接合部に水平に配筋されたことを特徴とする。またプレキャストコンクリート柱が立設された基礎と、杭との間に免震装置を設けたことを含むものである。
【発明の効果】
【０００６】
プレキャストコンクリート梁は、緊張材によってプレストレスが付与されてプレキャストコンクリート柱に接合され、プレキャストコンクリート梁の端部下端筋が折り曲げられずに柱梁接合部に水平配筋されたことにより、柱梁接合部における配筋の混雑さが解消されるので、現場打ちコンクリートの充填性が良くなって、密実コンクリートの品質が確保される。またプレキャストコンクリート梁の端部下端筋が折り曲げられずに水平になるので、プレキャストコンクリート梁が単純化および簡素化されて、コストが削減される。また基礎と杭との間に免震装置を設けたことにより、地震時における建物へ入力される水平震度が小さくなり、プレキャストコンクリート梁の端部下端筋を柱梁接合部において水平配筋できる長さにすることができる。
【発明を実施するための最良の形態】
【０００７】
以下、本発明のプレキャストコンクリート柱と梁の接合構造（以下、接合構造という）の実施の形態を図面に基づいて説明する。本実施の形態において、同じ構成は同じ符号を付して説明し、異なった構成にのみ異なった符号を付して説明する。
【０００８】
図１は、第１の実施の形態のＰＣ柱と梁の接合構造１である。この接合構造１は、基礎２上に立設されたプレキャストコンクリート柱（以下、ＰＣ柱という）３の頭部における載置顎４に、プレキャストコンクリート梁（以下ＰＣ梁という）５の端部が載置され、この柱梁接合部６に現場打ちコンクリート７が打設され、この柱梁接合部６の上にさらに他のＰＣ柱３が立設され、このＰＣ柱３の載置顎４にＰＣ梁５の端部が載置された構成になっている。
【０００９】
この接合構造１において、対向したＰＣ梁５同士がＰＣ鋼線などの緊張材８で所定のプレストレスを付与されてＰＣ柱３に接合され、その端部下端筋９同士が柱梁接合部６において交互に水平配筋されている。この端部下端筋９は９０度の折り曲げ配筋が必要な長さではなく、柱梁接合部６において水平配筋が可能な長さになっている。一方、端部上端筋１０は３５ｄの定着長さが必要であるため、柱梁接合部６において９０度の折り曲げ配筋がされている。
【００１０】
このように柱梁接合部６内にプレストレスが導入されると、このプレストレス導入量と水平変位を決める層間変位角の範囲とを適切に設置することにより、端部下端筋９の定着長さを低減して、水平方向の配筋のみで定着することが可能になる。
【００１１】
また基礎２に立設されたＰＣ柱３から柱梁接合部６に立設されたＰＣ柱３にかけては、ＰＣ鋼材またはＰＣ鋼線などの緊張材８が配線され、この緊張材８によってプレストレスが付与されている。
【００１２】
図２は、第２の実施の形態のＰＣ柱と梁の接合構造１１である。この接合構造１１は、建物の外側に位置したＰＣ柱１２にＰＣ梁５を接合したものであり、基礎２と杭１３との間に免震装置１４を設けた以外は、第１の実施の形態の接合構造１と同じ構成である。
【００１３】
この接合構造１１の耐震建物の場合、地震時における建物への水平震度の入力は、杭頭部に設けた免震装置１４のために小さくなる。その設計水平震度（Ｃ）は、従来のＣ＝０．３に対してＣ＝０．１３と半分以下の値になる。
【００１４】
その結果、地震時の上部構造の層間変位角は、最大１／７２０程度で、極端に曲げ変形が小さな剛体構造に近く、端部下端筋９の定着長さの低減が可能となる。特に、この端部下端筋９は、長期応力時に圧縮応力状態で地震時の短期応力時の引張力を負担させるためのものであるため、この鉄筋９の地震時の実際の引張力は一般的な定着長ではなく、圧縮鉄筋に相当する定着長さに設計することができる。
【図面の簡単な説明】
【００１５】
【図１】第１の実施の形態の接合構造の断面図である。
【図２】第２の実施の形態の接合構造の断面図である。
【図３】従来の接合構造の断面図である。
【符号の説明】
【００１６】
１、１１、１５  接合構造
２  基礎
３、１２、１６  ＰＣ柱
４  載置顎
５、１７  ＰＣ梁
６、１８  柱梁接合部
７、１９  現場打ちコンクリート
８  緊張材
９、２０  端部下端筋
１０、２１  端部上端筋
１３  杭
１４  免震装置
【図１】
2005330657.tif 000003
【図２】
2005330657.tif 000004
【図３】
2005330657.tif 000005